(57)【要約】レベル制御回路１における補償エレメント２７の特性を判定するためのコントローラアシスト装置において、補償エレメントは、信号チャネル２に関して信号チャネル２における高周波信号（Ｓ＜ＳＢ＞ＨＦ＜／ＳＢ＞）のためのレベル制御回路１の内部にシリアルに搭載される。補償エレメント２７の特性は、理想的な補償の場合に信号チャネル２の非線形の伝達特性の逆である特性を有する。レベル制御回路１における補償エレメント２７の特性の判定のためのコントローラアシスト方法では、補償エレメント２７の特性の関連される横座標値に対応する、調節されたレベル制御回路１におけるレベル基準信号ＰRefの信号レベルで調節される補正信号値Ｐastelから、ブリッジされた補償エレメント２７の場合に、補償エレメント２７の特性のそれぞれの縦座標値が上昇する。
2008508824.tif 000002
【特許請求の範囲】
【請求項１】
補償エレメントの特性を判定するためのコントローラアシスト方法であって、
前記補償エレメントは、信号チャネルの非線形の伝達特性を補償するため、前記信号チャネルにおける高周波信号についてレベル制御回路内で信号チャネルに直列に接続され、理想的な補償の場合に、前記信号チャネルの非線形の伝達特性と逆の特性を与え、
ブリッジされた補償エレメントにより、前記補償エレメントの特性のそれぞれの縦座標値は、前記補償エレメントの特性の関連される横座標値に対応するレベル基準信号の信号レベルで前記補償されたレベル制御回路で生じる、調節信号の値から得られる、
ことを特徴とするコントローラアシスト方法。
【請求項２】
前記信号チャネルの前記非線形の特性は、前記高周波信号の周波数に依存し、前記周囲の温度に依存する、
請求項１記載の補償エレメントの特性を判定するコントローラアシスト方法。
【請求項３】
前記高周波信号の周波数に依存するそれぞれの値のペアは、
前記高周波信号の周波数を調節し、
前記補償エレメントの特性の値のペアについて横座標の値に対応するため、前記レベル制御回路の前記レベル基準信号の信号レベルを調節し、
補償されたレベル制御回路における前記補償エレメントの特性について値のペアの関連する縦座標値として生じる前記調節信号を決定することで、
前記補償エレメントの特性の縦座標及び横座標の値から決定される、
請求項１又は２記載の補償エレメントの特性を判定するコントローラアシスト方法。
【請求項４】
前記信号チャネルの伝達特性の垂直方向の変位は、第三の補償信号により基準となる周囲の温度を参照してそれぞれ定義された周囲の温度の変化についてリニアスケールで補償され、前記第三の補償信号の値は、前記周囲の温度変化により生じ、前記補償エレメントにより補償される調節信号に逆の加法的なやり方で重ね合わせされる調節信号の変化から決定される、
請求項１乃至３のいずれか記載の補償エレメントの特性を判定するコントローラアシスト方法。
【請求項５】
前記信号チャネルの前記伝達特性の垂直方向の変位は、第一の補償信号により基準となる周囲の温度を参照してそれぞれ定義された周囲の温度の変化について対数スケールで補償され、前記第一の補償信号の値は、前記周囲の温度変化により生じ、前記レベル基準信号に逆の加法的なやり方で重ね合わせされる前記高周波信号の実際のレベル値における記録された変化から決定される、
請求項１乃至４のいずれか記載の補償エレメントの特性を判定するコントローラアシスト方法。
【請求項６】
測定増幅器の増幅ファクタにおける変化は、第二の補償信号により基準となる周囲の温度を参照してそれぞれ定義された周囲の温度の変化について補償され、前記第二の補償信号の値は、前記周囲の温度変化により生じ、補償されていない調節信号に逆の加法的なやり方で重ね合わせされる調節信号の変化から決定される、
請求項１乃至５のいずれか記載の補償エレメントの特性を判定するコントローラアシスト方法。
【請求項７】
補償エレメントの特性を判定する装置であって、
レベル基準信号の信号レベルと記録された高周波信号の実際のレベル値との間の制御差に依存する調節信号を形成するためのコントローラに非線形の伝達特性を与える、信号チャネルにおける高周波信号のレベル制御回路と、
理想的な補償の場合に、前記信号チャネルの非線形の伝達特性とは逆の特性を与え、非線形の歪んだ調節信号を生成する補償エレメントと、
非線形に歪んだ調節信号に依存して調節可能な増幅ファクタで前記信号チャネルに統合される調節エレメントとを有し、
前記補償エレメントは、縦座標及び横座標の値からなる補償エレメントの特性のそれぞれ特性の値のペアを決定するためにブリッジされる、
ことを特徴とする補償エレメントの特性を判定する装置。
【請求項８】
前記信号チャネルの非線形の特性は、前記調節エレメントの非線形の伝達特性により決定される、
請求項７記載の補償エレメントの特性を判定する装置。
【請求項９】
前記信号チャネルの伝達特性の温度に依存する変位の補償のため、第三の温度補償ユニットにより生成される第三の補償信号は、前記補償エレメントにより非線形のやり方で歪んだ調節信号にリニアなスケールで加法的に重ね合わされる、
請求項７又は８記載の補償エレメントの特性を判定する装置。
【請求項１０】
プレ制御信号は、前記コントローラの調節信号に加法的に重ね合わされる、
請求項７乃至９のいずれか記載の補償エレメントの特性を判定する装置。
【請求項１１】
前記高周波信号は、前記信号チャネルの出力で検出ユニットにより記録される、
請求項７乃至１０のいずれか記載の補償エレメントの特性を判定する装置。
【請求項１２】
前記検出ユニットは方向性カプラである、
請求項１１記載の補償エレメントの特性を判定する装置。
【請求項１３】
前記検出ユニットにより記録される前記高周波信号は、ダウンミキサを介して中間周波信号に混合され、前記中間周波信号は、前記レベル制御回路のデジタル信号処理レンジのレベルに可変の増幅ファクタをもつ測定増幅器を介して適合され、アンチエイリアス低域通過フィルタにフィルタリングのために供給される、
請求項１１又は１２記載の補償エレメントの特性を判定する装置。
【請求項１４】
前記測定増幅器の増幅ファクタの温度依存を補償するため、第二の補償信号は、前記コントローラの調節信号及び前記プレ制御信号に第二の温度補償ユニットにより加法的に重ね合わされる、
請求項１３記載の補償エレメントの特性を判定する装置。
【請求項１５】
前記補償エレメントは、個々のメモリセルに記憶された補償エレメントの特性について周波数に依存する粗い縦座標値をもつメモリと、前記メモリに記憶される粗い縦座標値に追加される精密な縦座標値を判定するためのインタポレータとから構成される、
請求項７乃至１４のいずれか記載の補償エレメントの特性を判定する装置。
【請求項１６】
前記高周波信号の周波数、前記コントローラの調節信号から導出される、補償されていない合計の調節信号のハイバリューのビット、プレ制御信号及び第二の補償信号は、前記粗い縦座標値をもつ前記メモリのメモリセルのアドレスを決めるために使用される、
請求項１５記載の補償エレメントの特性を判定する装置。
【請求項１７】
前記メモリでアドレスが決められた前記粗い縦座標値、前記コントローラの調節信号から導出される、補償されていない調節信号のロウバリューのビット、プレ制御信号及び前記第二の補償信号は、精密な縦座標の値を決定するために使用される、
請求項１５又は１６記載の補償エレメントの特性を判定する装置。
【請求項１８】
前記コントローラと該コントローラに接続される信号リミッタは、デジタル回路として設計される、
請求項７乃至１７のいずれか記載の補償エレメントの特性を判定する装置。
【請求項１９】
第一の温度補償ユニットは、対数スケールで前記信号チャネルの伝達特性の温度に依存する変位を補償するため、前記レベル基準信号に加法的に重ね合わせされる第一の補償信号を生成する、
請求項７乃至１８のいずれか記載の補償エレメントの特性を判定する装置。
【請求項２０】
前記信号チャネルは、前記調節エレメントに接続されるキャリブレーションライン及びアイソレーションアンプを含む、
請求項７乃至１７のいずれか記載の補償エレメントの特性を決定する装置。
【発明の詳細な説明】
【技術分野】
【０００１】
本発明は、レベル制御回路における補償要素の特性を判定するコントローラアシスト方法及びコントローラアシスト装置に関する。
【背景技術】
【０００２】
従来技術によれば、たとえば送信機の出力モジュール、受信機の出力モジュール又は信号ジェネレータにおける高周波信号の信号レベルは、自動利得制御（ＡＧＣ）回路における調節可能なレベル基準値に補償される。ＥＰ０４５１２７７Ｂ１は、受信機の入力モジュールにおけるこの種の自動レベル制御回路を開示している。このコンテクストでは、信号チャネルで統合された増幅及び／又は減衰エレメントの増幅／又は減衰ファクタは、調節信号を介して自動的に調節され、この調節信号は、レベル基準値と、信号チャネルの出力での検出器ユニットを介して記録される高周波信号の信号レベルとの間の制御差に基づいてコントローラユニットで発生される。
【０００３】
たとえば、増幅／減衰エレメントにおける信号チャネルにおける非線形性により、レベル制御回路における不安定性を引き起こし、レベル制御回路のダイナミックスを損なわせる。
【０００４】
ＤＥ３６３６８６５Ａ１のケースでは、減衰エレメントの伝達特性の送信機の出力モジュールの伝達特性に対する正確な逆の調節は、高周波信号の全てのレベル値について、減衰ファクタのパラメータ表示による調節又はキャリブレーション手順のフレームワークで、オフラインで実現される。送信出力モジュールの伝達特性の過程、及びこれに対応して、減衰エレメントの伝達特性の過程が、高周波信号の周波数及び周辺温度のような一連のパラメータに依存するので、複数の特性の過程は、減衰エレメントについて決定される必要がある。再び、個々のキャリブレーション手順のフレームワーク内で、それぞれの特性について、複数の特性値のペアが決定される。これにより、送信機、受信機又は信号発生器の使用の前に、かなりの範囲に調節のコストを増加させる。
【発明の開示】
【発明が解決しようとする課題】
【０００５】
したがって、本発明は、レベル制御回路で補償又は減衰エレメントの伝達特性を決定することにおいて、調節又はキャリブレーションのコストを大幅な範囲にまで減少させることを目的とする。
【課題を解決するための手段】
【０００６】
上記目的は、請求項１記載の補償エレメントの特性を判定するためのコントローラアシスト方法、及び請求項７記載の補償エレメントの特性を判定するためのコントローラアシスト装置により達成される。本発明の有効な実施の形態は、従属の請求項で規定されている。
【０００７】
補償エレメントの個々の特性値のペアを判定することは、レベル制御回路の特性を利用するものであり、このレベル制御回路は、ブリッジされた補償エレメント、及び補償されたレベル制御回路における補償エレメントの特性の横座標の値の振幅でのレベル基準信号の信号レベルにより、調節信号として値が生じ、この値は、信号チャネルにおける伝達特性の理想的な補償をもつ補償エレメントの特性の関連される縦座標の値に対応する。
【０００８】
信号チャネルの入力での高周波信号の固定された周波数、及びレベル制御回路の補償された条件におけるレベル基準信号の信号レベルの変動により、レベル基準端子に存在する横座標の値に関連される補償エレメントの特性の縦座標を調節信号端子で記録することが可能であり、これに応じて、比較的低コストのやり方で高周波信号の所与の周波数について補償エレメント特性の特性を判定することが可能である。同じやり方で、高周波信号のそれぞれの周波数に関連される補償エレメントの全ての特性は、所与の周波数のラスタで高周波信号の周波数を変動させることで決定することができる。
【０００９】
従来技術の調節及び／又はキャリブレーション方法との比較により、定義された調節信号について高いコストの調節手順が必要とされず、信号チャネルの出力で対応する高周波信号を判定するために高いコストの測定手順が必要とされず、これに応じて、補償エレメントの個々の特性について特性の値のペアを決定するため、包括的な数学の計算手順を構築することが必要とされない。対照的に、本発明に係る方法及び本発明に係る装置によれば、レベル基準端子での個々の横座標の値及び高周波信号の信号源での個々の周波数の調整、並びにレベル制御回路の調節信号端子での縦座標の読み取りを自動化することができる。高いコストの数学計算なしに、個々の横座標の値に関連される補償エレメントの周波数に依存した特性の縦座標は、読み取りの後に直接的にデジタルで実現された補償エレメントの個々のメモリセルに書き込まれる。
【００１０】
信号チャネルの伝達特性の温度依存は、伝達特性の垂直方向の変位にのみ関連されるものであり、高周波信号の固定された周波数及びレベル基準信号の固定された信号レベルをもつ基準の周辺温度に関する所与の周辺温度でのレベル制御回路の調節信号変化を測定することで、正確に類似したやり方で決定される。基準の周辺温度に関する周辺温度の変動により、それぞれの調節信号の変化、及び／又は高周波信号のそれぞれの実際のレベル値における変化は、温度補償のためのユニットにおいて補償信号として使用するために決定される。
【００１１】
信号チャネルの伝達特性の温度依存が、信号チャネルの調節エレメントにより引き起こされる線形依存、及び信号チャネルの分離増幅器により引き起こされる対数依存の両者を与えるので、対応する温度に依存する調節信号の変化は、線形依存のケースにおいて個別の測定シーケンスにおいてこの目的のために測定される必要があり、高周波信号の実際のレベル値の温度に依存する変化は、対数依存のケースにおいて個別の測定シーケンスにおいて測定される必要がある。対数依存のケースでは、対応して決定された補償値は、付加的な重ね合わせのために温度補償のための第一ユニットにレベル基準信号と記憶される。対数依存のケースでは、対応して決定された補償値は、付加的な重ね合わせのために温度補償のために第三のユニットに調節信号と記憶される。最後に、測定増幅器の増幅ファクタにおける温度が決定された変化を補償する補償値は、付加的な重ね合わせのために温度補償のための第二のユニットに調節信号と記憶される。
【００１２】
レベル制御回路における補償エレメントの特性を決定するコントローラアシスト方法及びコントローラアシスト装置の実施の形態は、図面を参照して以下に更に詳細に説明される。
【発明を実施するための最良の形態】
【００１３】
レベル制御回路における補償エレメントの特性を判定するための本発明に係る装置は、図１に示される信号発生器で使用される。代替的に、本発明に係る装置は、たとえば送信機の出力モジュール又は受信機の入力モジュールで、他の高周波技術の機器でも使用することができ、高周波信号のレベルは、レベル制御回路により自動的に調節される。
【００１４】
レベル制御回路１は、信号チャネル２から構成されており、このチャネルでは、信号源３により発生された高周波信号がガイドされ、各種のメッセージ処理機能に向けられる。高周波信号ＳHFの周波数ｆSigは、信号源３で調節される。高周波信号ＳHFの信号レベルは、信号源３の隣にある信号チャネル２の調節エレメント４で調節される。このため、調節エレメント４は、高周波信号ＳHFのレベル再調節に比例する補償された調節信号ＰStellkomp’により制御される。
【００１５】
次いで、調節エレメント４におけるその信号レベルに関して再調節された高周波信号ＳHFは、定義されたインピーダンス値をもつキャリブレーションライン５を介してアイソレーションアンプ６に供給される。アイソレーションアンプ６では、信号発生器の信号源と信号発生器の信号チャネル２の入力／出力モジュール９との間の２つの増幅ステージ７及び８を介して、ガルバニック・デカップリングが実現される。２つの増幅器のステージ７及び８の間で、アイソレーションアンプ６は、注入された高周波干渉信号の減衰のために低域通過フィルタ１０を更に含む。検出装置は、図１に示される信号発生器におけるディレクショナルとして設計されており、アイソレーションアンプ６と入力／出力モジュール９との間で接続される。測定のため、高周波信号は、信号チャネル２の終わりでディレクショナルカプラ１１に記録され、デカップリング（decoupling）される。
【００１６】
デカップリングされた高周波信号ＳHFは、隣のダウンミキサ１２においてミキサ信号ＬＯ1により混合され、中間周波信号ＳZFとなる。隣接する測定増幅器１３は、可制御な増幅ファクタを提供するものであって、中間周波信号ＳZFのレベルをレベル制御回路１のデジタル信号処理レンジ１４の主要なレベルに調節することを実現する。隣のアンチエイリアス低域通過フィルタ１５は、隣のアナログ／デジタル変換により生じた高周波の過渡のスペークトル成分の発生を抑圧する。
【００１７】
アナログ／デジタルコンバータ１６におけるアナログ／デジタル変換は、デジタル化された中間周波信号ＳZFDをもたらし、この信号は、隣のダウンミキサ１７においてミキサ信号ＬＯ2により対応するデジタル化されたベースバンド信号ＳNFDに変換される。デジタル化されたベースバンド信号ＳZFDは、対数ユニット１８に入力し、対数の実際のレベル値ＰISTが形成され、このレベル値は、対数化されたレベル基準信号ＰRefと同じスケールで存在するため、隣の制御差形成ユニット１９における制御差に関する意味のある形成が可能となる。
【００１８】
補償信号Ｋomp1は、合計エレメント２０における制御差形成ユニットのアップストリームにある対数のレベル基準信号ＰRefにわたり付加的に重ね合わせされる。この補償信号Ｋomp1は、第一の温度補償ユニット２１で生成される。補償信号Ｋomp1は、アイソレーションアンプ６で局部的に生じる、信号チャネル２の伝達特性の温度により決定された対数の変位を補償するために使用される。
【００１９】
制御差形成ユニット１９からの制御差信号ΔＰは、デジタルで実現されたコントローラ２２に供給され、このコントローラは、たとえば、デジタルフィルタの形式で実現される比例して統合する制御レンジ（proportionally-integrating  control  range）を供給する。コントローラ２２により生成される調節信号ＰStellは、信号リミッタ２３における調節信号の制限に向けられる。プレ制御信号ＰVorstのコントローラ２２の制限された調節信号ＰStellへの更なる追加の注入は、更なる合計エレメント２４で実現される。このプレ制御信号ＰVorstは、絶対的に本質的なものではないが、レベル制御回路１の遷移過程を大幅に加速する。プレ制御信号ＰVorstは、レベル基準信号ＰRefの信号値に依存して決定され、フィードバックなしに隣接エレメント４に直接的に接続され、レベル基準信号ＰRefの調節された信号レベルの近くで高周波信号ＳHFのレベル調節につながる。したがって、プレ制御信号ＰVorstは、閉じた制御回路との比較により低減されるレベル制御回路１のプレ制御ブランチの遷移のダイナミック（transient  dynamic）を有する。
【００２０】
したがって、コントローラ２２は、たとえば、重ね合わされた干渉信号により生じるか、又はレベル制御回路１のプレ制御ブランチの機能ユニットにおけるパラメータ変動により生じる、レベル基準信号ＰRefの調節された信号レベルと、プレ制御信号ＰVorstにより達成された高周波信号ＳHFの実際のレベル値ＰISTとの間の残りの制御差ΔＰを制御する。
【００２１】
更なる補償信号Ｋomp2のプレ制御信号ＰVorstから導出された合計信号への更なる加法的な注入、及びコントローラ２２の制限された調節信号ＰStellは、その後の合計エレメント２５で実現される。この補償信号Ｋomp2は、第二の温度補償ユニット２６で生成される。温度補償信号Ｋomp2は、測定増幅器１３の増幅ファクタの温度により決定される変化を補償するために使用される。
【００２２】
隣の補償エレメント２７において、そのうち、理想的な補償の場合における非線形特性は、信号チャネル２の非線形伝達特性に正確に逆であり、プレ制御信号ＰVorstから形成される補償エレメント２７の入力での補償されていない合計の調節信号ＰStellunkomp、コントローラ２２の振幅が制限された調節信号ＰStell、及び補償信号Ｋomp2は、非線形な方式で歪むことになり、これは、補償エレメント２７の出力での補償エレメント２７により補償された、非線形に歪んだ合計調節信号ＰStellkompにつながる。信号チャネル２の伝達特性は高周波信号ＳHFの周波数に依存するので、補償エレメント２７は、それぞれの周波数ｆSigに依存して、対応する逆の非線形特性を提供する。高周波信号ＳHFの周波数ｆSigに依存した補正特性は、補償エレメント２７の入力に存在する高周波信号ＳHFの周波数信号ｆSigを介して補償エレメント２７で選択される。
【００２３】
補償エレメント２７の出力で補償された合計の調節信号ＰStellkompは、調節エレメント４の更なる制御のためのダウンストリームスイッチ２８が開いて、補償エレメント２７の特性の判定のフェーズでロックされ、調節エレメント４の更なる制御のためのダウンストリームスイッチ２８が閉じて、通常のレベル制御モードのフェーズでフォワードに伝達される。隣のデジタル／アナログコンバータ２９では、補償された合計の調節信号ＰStellkompは、レベル制御回路１のデジタル信号処理領域１４のデジタルフォーマットからアナログフォーマットに変換される。
【００２４】
コントローラ２２により生成された調節信号ＰStellは、調節エレメント４の更なる制御のためにダウンストリームスイッチ３１が閉じて、補償エレメント２７の特性の判定のフェーズでフォワードに伝達され、調節エレメント４の更なる制御のためにダウンストリームスイッチ３１が開いて、通常のレベル制御モードのフェーズにロックされる。補償エレメント２７の特性の判定のフェーズで、閉じたスイッチ３１を介してフォワードに伝達されたコントローラ２２の調節信号ＰStellは、デジタル／アナログコンバータ３２により、レベル制御回路のデジタル信号処理領域１４のデジタルフォーマットからアナログフォーマットに変換される。動作フェーズに依存して、合計エレメント３０は、調節エレメント４の制御のため、補償エレメント２７の補償された合計の調節信号ＰStellkomp、又はコントローラ２２の調節信号ＰStellのいずれかを接続する。合計エレメント３０の２つのスイッチ２８及び３１、並びに２つのデジタル／アナログコンバータ２９及び３２の代替として、マルチプレクサ及び隣のデジタル／アナログコンバータを使用することもでき。動作フェーズに依存して、マルチプレクサは、調節エレメント４の制御のため、補償エレメント２７の補償された合計の調節信号ＰStellkomp又はコントローラ２２の調節信号ＰStellのいずれかを接続する。
【００２５】
更なる合計エレメント３３では、補償された合計の調節信号ＰStellkompへの更なる補償信号Ｋomp3の加法の重ね合わせは、通常のレベル制御モードのフェーズで実現される。この更なる補償信号Ｋomp3は、第三の温度補償ユニット３４で生成される。補償信号Ｋomp3は、調節エレメント４で局部的に生じる、信号チャネル２の伝達特性の温度により決定された線形の変位の補償のために使用される。補償信号Ｋomp3の加算による補償された合計の調節信号ＰStellkompは、合計エレメント３４の出力で供給され、高周波信号ＳHFの信号レベルを再調節するため、完全にレベル補償された合計の調節信号ＰStellkomp’として調節エレメント４に伝達される。
【００２６】
補償エレメント２７の実現は、デジタル方式で設計されるものであり、図２で詳細に説明される。非線形特性のそれぞれの横座標値に関連される縦座標値は、メモリ（ＲＡＭ）３５の個々のメモリセルに記憶される。しかし、このコンテクストで、非線形特性の横座標値の粗いラスタに関連される粗い縦座標値は、このように記憶される。非線形特性の粗いラスタの横座標値は、デジタル化された、補償されていない調節信号のハイバリューのビットhighBits（ＰStellunkomp）に対応する。デジタル化された、補償されていない調節信号ＰStellunkompのハイバリューのビットは、非線形特性の関連される粗い縦座標値に対処するために使用される。信号源３からの周波数信号ｆSigは、特性に依存する周波数のために使用される。対処の後、非線形特性の対応する粗い縦座標値ＰStellkompgrobは、メモリ（ＲＡＭ）３５の出力で提供される。
【００２７】
非線形特性の粗い縦座標値ＰStellkompgrobに加えて、更なる精密な縦座標値ＰStellkompfeinは、インタポレータ３６で生成される。この非線形特性の精密な縦座標は、非線形特性の横座標の精密なラスタリングによる粗い縦座標での補正値又はインクリメンタル値に対応する。非線形特性のそれぞれの横座標値の精密なラスタリングは、デジタル化された補償されていない調節信号lowBits（ＰStellunkomp）のロウバリューのビットから得られる。精密な縦座標値ＰStellkompfeinは、式（１）で示されるように、及び図３における名称で示されるように、メモリ３５の出力で配置される粗い縦座標値ＰStellkompgrobi、及び非線形特性の隣の縦座標値ＰStellkompgrobi+1、粗い横座標値のラスタhigh（ＰStellunkompi+1）−high（ＰStellunkompi）、及びデジタル化された補償されていない調節信号lowBits（ＰStellunkomp）のロウバリューのビットの精密な横座標からの線形補間によりインタポレータ３６で決定される。
【００２８】
【数１】
2008508824.tif 000003
その後の合計エレメント３７では、メモリ３５の出力での粗い縦座標値ＰStellkompgrobi、及びインタポレータ３６の出力での精密な縦座標値ＰStellkompfeiniは、補償された調節信号ＰStellkompを表す、非線形特性の正確な縦座標の値ＰStellkompiに加算される。
【００２９】
図４におけるフローチャートは、レベル制御回路１における補償エレメント２７の特性を判定するため、本発明に係るコントローラアシスト方法を示す。  
手順のステージＳ１０では、高周波信号ＳHFの周波数ｆSigは、信号源３で調節される。
【００３０】
その後の手順のステージＳ２０では、レベル制御回路１におけるレベル基準信号ＰRefの信号レベルは、補償エレメント２７の特性のそれぞれの特性値のペアの横座標値に対応するために調節される。
【００３１】
スイッチ３１が閉じている間、スイッチ２８は開いている。温度補償ユニット３４は、現在の時間で非アクティブ状態であり、これにより、レベル制御回路１のコントローラ２２の切り替え、及び調節エレメント４の制御入力でのレベル制御回路１の遷移の手順の間に待った後、コントローラ２２により生成され、アナログ信号に変換された調節信号ＰStellは、固定の信号として存在する。手順のステージＳ３０では、固定信号として生じるコントローラ２２の調節信号ＰStellの値は、補償エレメント２７の特性の縦座標値として端子ポイント３８でデジタル／アナログコンバータ３２のデジタル入力の前で、デジタルフォーマットで読み取ることができ、レベル基準信号ＰRefの調節された信号レベルに対応する、関連される横座標値により対処される補償エレメント２７のメモリコンポーネント３５のメモリセルに粗い縦座標値ＰStellkompgrobiとして書き込むことができる。
【００３２】
手順ステージＳ１０，Ｓ２０及びＳ３０は、次いで、補償エレメント２７の特性の特性値のペアの全てを判定するため、繰り返し実現される。
【００３３】
手順ステージＳ４０では、先に手順ステージＳ１０，Ｓ２０及びＳ３０における補償エレメント２７の特性の全ての特性値のペアの判定の後、アイソレーションアンプ６により特に引き起こされる、信号チャネル２の非線形伝達特性の対数の温度により決定された変位を補償する、第一の温度補償ユニット２１における温度補償のための第一の補償信号Ｋomp1の補償値Ｋomp1iが決定される。
【００３４】
第一の補償信号Ｋomp1の補償値Ｋomp1iを判定する手順ステージＳ４０は、図５に示されるように、サブ手順ステージＳ４１〜Ｓ４４に小分割される。
【００３５】
サブ手順ステージＳ４１では、高周波信号ＳHFの周波数ｆSigは信号源３で調節され、レベル基準信号ＰRefの所与の信号レベルは、レベル制御回路１のレベル基準入力で規定される。
【００３６】
サブ手順ステージＳ４２では、調節エレメント４は、特に調節エレメント４により引き起こされる、リニアスケールで信号チャネル２の伝達特性の温度により決定される変位を回避するためにブリッジされる。信号チャネル２の伝達特性の温度により決定される変位は対数スケールで実現されるので、対応する温度補償も対数スケールで実現される必要があり、したがって、対数スケールで実現されるレベル制御回路１の制御差の形成のレンジで実現される。この理由のため、レベル制御回路１は、制御差形成ユニット１９の実際のレベル値の入力のレンジで開いている。サブ手順ステージＳ４２では、基準の周辺温度Ｔ0及びレベル基準信号ＰRefの規定された信号レベルで生じる実際のレベル値ＰIstT0は、制御差形成ユニット１９の実際のレベル値入力の近くでレベル制御回路１の開いたポジションの直前でレベル制御回路１の端子３９で所与の基準の周辺温度Ｔ0で測定される。
【００３７】
その後のサブ手順ステージＳ４３では、周囲の温度Ｔiが変動し、レベル基準信号ＰRefの同じ信号レベルにより、周囲の温度Ｔiに関して相対的に温度により決定されるやり方で変化する実際のレベル値ＰIstTiが測定される。
【００３８】
最終的に、最後のサブ手順ステージＳ４４では、周囲の温度Ｔiと基準の周辺温度Ｔ0との間の温度変化により決定される実際のレベル値の変化ΔＰIsti＝ＰIstTi−ＰIstT0は、前に測定された実際のレベル値ＰIstTi及びＰIstT0から計算され、基準の周辺温度Ｔ0から周囲の温度Ｔiへの温度変化による、第一の補償信号Ｋomp1の補償値Ｋomp1iとして第一の温度補償ユニット２１に記憶される。
【００３９】
サブ手順ステージＳ４３及びＳ４４は、第一の補償信号Ｋomp1の対応する補償値Ｋomp1iの判定に類似のやり方で、異なる周囲の温度値Ｔiについて所与の温度ラスタで実現される。
【００４０】
次のメインの手順ステージＳ５０で、特に調節エレメント４におけるＧａＡｓ電界効果トランジスタのピンチオフ電圧の温度で決定される変位により引き起こされる、リニアスケールの信号チャネル２の伝達特性の温度で決定される変位の補償について、第三の補償信号Ｋomp3の補償値Ｋomp3iが決定される。
【００４１】
メインの手順ステージＳ５０の第三の補償信号Ｋomp3の補償値Ｋomp3iの判定は、図６に示されている。これは、手順ステージＳ１０〜Ｓ３０で補償エレメント２７の特性値のペアの判定との類似性により行われる。
【００４２】
サブ手順ステージＳ５１では、信号源３についてサブ手順ステージＳ４１との類似性により、高周波信号ＳHFの周波数ｆSigが調整され、レベル基準信号ＰRefの所与の信号レベルは、レベル制御回路１のレベル基準入力に印加される。
【００４３】
サブ手順ステージＳ５２において第三の補償信号Ｋomp3の補償値Ｋomp3iを決定することにおいて、アイソレーションアンプ６は、アイソレーションアンプ６により引き起こされる対数スケールで信号チャネル２の非線形な伝達特性の更なる温度で決定される変位を回避するためにブリッジされる。サブ手順ステージＳ５２では、調節エレメント４の入力で生じる調節信号値ＰStellkompT0は、基準の周囲の温度Ｔ0及び補償されたレベル制御回路で判定される。
【００４４】
次のサブ手順ステージＳ５３では、周囲の温度Ｔiが変動し、信号チャネル２の非線形の特性の温度の増加で決定される変位の結果として、新たな周囲の温度Ｔiで生じる新たな調節信号値ＰStellkompTiが測定される。
【００４５】
最後のサブ手順ステージＳ５４では、第３の補償信号Ｋomp3の補償値Ｋomp3iの計算は、周囲の温度Ｔiで生じる調節信号値ＰStellkompTiと基準の周囲の温度Ｔ0で生じる調節信号値ＰStellkompT0との間の差として調節信号の変化ΔＰStellkompiを形成し、これを温度増加ΔＴiによる第３の補償信号Ｋomp3の補償値Ｋomp3iとして第３の温度補償ユニット３４に入力することで、温度変化ΔＴi＝Ｔi−Ｔ0でのリニアスケールの信号チャネル２の伝達特性の温度で決定される変位の温度補償のために実現される。
【００４６】
類似性により、サブ手順ステージＳ５３及びＳ５４は、異なる周囲の温度Ｔiについて所与の温度ラスタで実現され、第３の補償信号Ｋomp3の対応する補償値Ｋomp3iは、第３の温度補償ユニット３４に記憶される。
【００４７】
最後に、調節信号の変化ΔＰStellkompi、すなわち第３の補償信号Ｋomp3の補償値Ｋomp3iへの補償エレメント２７の特性の影響は、差の形成の結果としてもはや生じず、これにより、周囲の温度Ｔiで生じる個々の調節信号ＰStellkompTiの判定は、スイッチ２８が閉じるか、又はスイッチ２９が閉じるかのいずれかで実現することができる。
【００４８】
最後に、最後のメインの手順ステージＳ６０では、特に、測定増幅器１３の増幅ファクタである、伝達の挙動の温度で決定される変化の温度補償のための第二の補償信号Ｋomp2の補償値Ｋomp2iが決定される。このため、メインの手順ステージＳ６０は、図７に示されるサブ手順ステージＳ６１〜Ｓ６４に分解される。
【００４９】
測定増幅器１３の伝達の振る舞いの温度で決定される変化の温度補償のための第２の補償信号Ｋomp2の補償値Ｋomp2iを決定するためのサブ手順ステージＳ６１〜Ｓ６４は、リニアスケールで信号チャネル２の伝達特性の温度で決定される変位の温度補償の第三の補償信号Ｋomp3の補償値Ｋomp3iを決定するためのサブ手順ステージＳ５１〜Ｓ５４に対応する。したがって、参照は、２つのメインの手順ステージＳ５０とＳ６０の間の違いに対してのみ行われる。
【００５０】
調節信号ＰStellkompTiが周囲の温度Ｔiで決定されるのを誤らせる、信号チャネル２の伝達特性の更なる温度で決定される変化を回避するため、調節エレメント４及びアイソレーションアンプ６は、サブ手順ステージＳ６２でブリッジされる。
【００５１】
メインの手順ステージＳ５０との類似性により、測定増幅器１３の伝達挙動の温度で決定される変化の温度補償のための第２の補償信号Ｋomp2の補償値Ｋomp2iを決定するため、補償エレメント２７の特性は、調節信号の変化ΔＰStellkompi、従って差の形成の結果として第２の補償信号Ｋomp2の補償値Ｋomp2iに影響を及ぼし、これにより、スイッチ２８又はスイッチ３１の何れかは、周囲の温度Ｔiで生じる調節信号ＰStellkompTiの決定のために閉じられる。
【００５２】
測定増幅器１３の伝達の挙動の温度で決定される変化の温度補償のための第２の補償信号Ｋomp2の補償値Ｋomp2iは、第２の温度補償ユニット２６に記憶される。
【００５３】
本発明は、与えられた実施の形態に限定されるものではない。特に、レベル制御回路１を形成し、レベル制御回路の補償エレメントの特性を判定するためのコントローラアシスト方法及びコントローラアシスト装置を実現するための他の規制及び制御構造を使用することができ、本発明によりカバーされる。最後に、レベル制御回路１の信号処理領域１４のデジタルでの実現の代わりに、本発明のアナログでの実現もカバーされる。
【図面の簡単な説明】
【００５４】
【図１】レベル制御回路における補償エレメントの特性を判定する、本発明に係るコントローラアシスト装置のブロック回路図である。
【図２】レベル制御回路における補償エレメントの特性を判定する、本発明に係るコントローラアシスト装置における補償エレメントのブロック回路図である。
【図３】レベル制御回路における補償エレメントの特性を判定する、本発明に係るコントローラアシスト装置における補償エレメントの特性の詳細を示す図である。
【図４】レベル制御回路における補償エレメントの特性を判定する、本発明に係るコントローラアシスト方法のフローチャートである。
【図５】信号チャネルにおける分離増幅器の伝達特性の温度に依存する変位のケースにおける補償値を判定するフローチャートである。
【図６】信号チャネルにおける調節エレメントの伝達特性の温度により決定される変位のケースにおける補償値を判定するフローチャートである。
【図７】レベル制御回路における測定増幅器の増幅ファクタの温度に依存する変化のケースにおける補償値を決定するフローチャートである。
【図１】
2008508824.tif 000004
【図２】
2008508824.tif 000005
【図３】
2008508824.tif 000006
【図４】
2008508824.tif 000007
【図５】
2008508824.tif 000008
【図６】
2008508824.tif 000009
【図７】
2008508824.tif 000010
【国際調査報告】
2008508824.tif 000011
2008508824.tif 000012
2008508824.tif 000013
2008508824.tif 000014